(57)【特許請求の範囲】
【請求項１】
情報センター側から車載端末側に送信される文字列データを音声に合成する車載用音声合成装置において、
前記情報センター側に、
前記文字列データを構成する複数の単語の読み及び該単語のアクセントと共に、呼気段落における周波数の時間的な変化情報である韻律パターンを生成するはめ込み合成データ生成部と、
前記はめ込み合成データ生成部によって生成された、単語の読み及びアクセントを含む文字列データと韻律パターンを含む韻律パターンデータとを送信する送信部と、が設けられ、
前記車載端末側に、
前記情報センター側から送信された、前記文字列データと前記韻律パターンデータとを受信する受信部と、
前記受信部によって受信された、前記韻律パターンに前記単語の読み及び前記アクセントをはめ込んで韻律制御を行う韻律制御部と、が設けられることを特徴とする車載用音声合成装置。
【請求項２】
前記文字列データを呼気段落毎に分割して音声合成を行うと共に、
前記はめ込み合成データ生成部は、送信データを文章単位で送信するか呼気段落単位で送信するかを制御する制御コマンドを送信データに付加し、
前記韻律制御部は、受信した制御コマンドに応じて韻律制御を行うことを特徴とする、請求項１に記載の車載用音声合成装置。
【請求項３】
前記韻律制御部は、呼気段落毎に受信した前記韻律パターン、前記複数の単語の読み及び前記単語のアクセントに関するデータが一時的に蓄えられたものについて受信終了時点で韻律制御を行って音声合成の処理を開始させることを特徴とする、請求項２に記載の車載用音声合成装置。
【請求項４】
前記情報センター側から送信される前記文字列データに対してさらに音声種別コードと、該音声種別コードに相当する韻律パラメータとを送信し、前記車載端末側では前記音声種別コード、前記韻律パラメータに対応する音声を合成することを特徴とする、請求項１に記載の車載用音声合成装置。
【請求項５】
前記車載端末側から前記情報センター側に音声種別の選択を要求することを特徴とする、請求項１に記載の車載用音声合成装置。
【請求項６】
情報センター側から車載端末側に送信される文字列データを音声に合成する車載用音声合成装置において、
前記車載端末側には、
前記情報センター側からの情報を受信する受信部と、
前記受信部によって受信された受信情報に含まれる、複数の単語の読み及び該単語のアクセントを表す文字列データと、当該文字列データに付随して送信された呼気段落における周波数の時間的な変化情報である韻律パターンと、を分離するデータ分離部と、
前記データ分離部によって分離された、韻律パターンから各文字列データの読みに対応した韻律制御信号を再生する再生部と、が設けられ、
前記韻律制御信号で分離された文字列データに対し順次連続して韻律を制御し発生音声を合成することを特徴とする車載用音声合成装置。
【発明の詳細な説明】
【０００１】
【発明の属する技術分野】
本発明は情報センター側から走行中の車両側で受信した文字列データを韻律パターンにはめ込んで音声に合成する車載用音声合成装置に関し、特に、文字列データの追加、変更に対して車載端末側での音声合成装置の負担軽減に関する。
【０００２】
【従来の技術】
図４は従来の車載用音声合成装置を示す図である。本図に示す如く、情報センター側では、はめ込み合成データ生成部１で生成されたデータが変調されて送信機２を経由して車載端末側に送信される。送信データは「文章番号＋文字列（単語読み＋アクセント）」で構成される。ここに、文字列（単語読み＋アクセント）は具体的には単語１（単語読み＋アクセント）＋単語２（単語読み＋アクセント）＋…＋単語ｎ（単語読み＋アクセント）」として構成される。さらに、文章番号は文字列にイントネーションを付与する韻律パターンの情報を表すために送出される番号である。つまり、情報センター側のはめ込み合成データ生成部１は、送信先の車載端末側での言語処理の負担を軽減するために、韻律パターンに文字列を構成する複数の単語（単語読み及びアクセント）を自由に置き換え、はめ込み可能にする送信データを生成する。
【０００３】
一方、車載端末側では、車両に搭載された受信機３で送信データが受信され、復調され一時的に入力バッファ３Ａに蓄えられる。韻律パターン記憶部４は複数の韻律パターンを記憶し、入力データのうち「文章番号」を入力し、且つ文章番号に対応して韻律パターンを出力する。韻律制御部５は入力データのうち「文字列（単語読み＋アクセント）」を入力し、韻律パターン記憶部４から韻律パターンを入力し、単語１（単語読み＋アクセント）＋単語２（単語読み＋アクセント）＋…＋単語ｎ（単語読み＋アクセント）を韻律パターンにはめ込む韻律制御を行う。
【０００４】
なお、アクセントは単語固有のピッチパターン（ピッチ周波数の時間的な変化）であり、イントネーションは呼気段落におけるピッチパターンである。
図５は図４の韻律パターン記憶部４に記憶される韻律パターン例を示す図である。本図に示す如く、文章例Ｎｏ．１の「今日は（単語１）、晴れです（単語２）」に対して、２つのイントネーションを有する韻律パターンＡが記憶される。韻律制御部５では単語１、単語２を韻律パターンＡにはめ込む韻律制御が行われる。
【０００５】
文章例Ｎｏ．２の「今日は（単語１）、午前晴れです（単語３）」に対して、上記とは異なる２つのイントネーションを有する韻律パターンＢが記憶される。韻律制御部５では単語１、単語３を韻律パターンＢにはめ込む韻律制御が行われる。
図４に戻り、音素片辞書部６は自然音声から得られた一定のピッチ周波数を有する複数の音声波形素片を波形辞書に登録する。
【０００６】
音声生成処理部７は韻律制御部５で生成された文字列の各音素に対して音素片辞書部６より音声波形を選択し、アクセント、韻律パターンのピッチパターンに対して音声波形を重ね合わせたり、繰り返したり、間引いたりして音声を合成してスピーカに出力させる。
【０００７】
【発明が解決しようとする課題】
しかしながら、上記車載用音声合成装置では、例えば、図５の下段の如く、情報センター側から追加の文字列「今日は（単語１）、午前晴れで（単語３）、午後曇りです（単語３）」が送信され、韻律パターン記憶部４に、このような文章例に対しての如く、３つの異なるイントネーションを有する韻律パターンが記憶されていない場合には、新たな韻律パターンを記憶する必要がある。新たな韻律パターンが無いと、例えば、韻律パターンＢを使用すると、「午後曇りです（単語３）」の部分はイントネーション無しで音声合成されることになり、音質の低下を招くためである。車載端末側では多数の車両に音声合成装置が使用されているので、情報センター側で頻繁な文章のデータ追加、データ変更があると、車載端末側では全ての車両に対して新たな韻律パターンを韻律パターン記憶部４に頻繁に記憶させる必要があるが、これは事実上処理不可能であるという問題がある。
【０００８】
したがって、本発明は、上記問題点に鑑み、情報センター側で送信データを任意に変えても、車載端末側では新たな韻律パターンのデータ追加、変更の処理を必要とせずに音声合成が可能になる車載用音声合成装置を提供することを目的とする。
【０００９】
【課題を解決するための手段】
本発明は、前記問題点を解決するために、情報センター側から車載端末側に送信される文字列データを音声に合成する車載用音声合成装置において、前記情報センター側に、前記文字列データを構成する複数の単語の読み及び該単語のアクセントと共に、呼気段落における周波数の時間的な変化情報である韻律パターンを生成するはめ込み合成データ生成部と、前記はめ込み合成データ生成部によって生成された、単語の読み及びアクセントを含む文字列データと韻律パターンを含む韻律パターンデータとを送信する送信部と、が設けられ、前記車載端末側に、前記情報センター側から送信された、前記文字列データと前記韻律パターンデータとを受信する受信部と、前記受信部によって受信された、前記韻律パターンに前記単語の読み及び前記アクセントをはめ込んで韻律制御を行う韻律制御部と、が設けられることを特徴とする。この手段により、はめ込み対象の文章追加、改良を車載端末側の音声合成装置で行うことが不要となり、情報センター側で一括して行えるため、簡単に文章追加、改良が可能になる。
【００１０】
前記文字列データを呼気段落毎に分割して音声合成を行うと共に、前記はめ込み合成データ生成部は、送信データを文章単位で送信するか呼気段落単位で送信するかを制御する制御コマンドを送信データに付加し、前記韻律制御部は、受信した制御コマンドに応じて韻律制御を行う。この手段により、音声合成以外の通信データの合間に効率良く音声合成のためのデータ送信が可能になる。
【００１１】
前記韻律制御部は、呼気段落毎に受信した前記韻律パターン、前記複数の単語の読み及び前記単語のアクセントに関するデータが一時的に蓄えられたものについて受信終了時点で韻律制御を行って音声合成の処理を開始させる。この手段により、一時的に蓄えられたものについて韻律制御を行うので、車載端末側の入力バッファ容量を小さくでき、且つ合成音を途切らすことなく生成可能になる。
【００１２】
前記情報センター側から送信される前記文字列データに対してさらに音声種別コードと、該音声種別コードに相当する韻律パラメータとを送信し、前記車載端末側では前記音声種別コード、前記韻律パラメータに対応する音声を合成する。この手段により、情報センター側の意図する音声種類で音声合成が可能になる。
前記車載端末側から前記情報センター側に音声種別の選択を要求する。この手段により、車載端末側の意図する音声種類で音声合成が可能になる。
【００１３】
【発明の実施の形態】
以下本発明の実施の形態について図面を参照して説明する。
図１は本発明に係る車載用音声合成装置の例を説明する図であり、図２は情報センター側からの送信データの例を説明する図である。図１に示す如く、情報センター側では、はめ込み合成データ生成部１０は漢字かな混じり文の文字列である入力情報を解析して単語に分割し、単語の読み、アクセントを付与して発音記号列に変換する情報解析部１１と、該情報解析部１１に文法情報、読み、アクセント情報を与える単語辞書部１２と、前記入力情報に対して予めイントネーションである韻律パターンを記憶する韻律記憶部１３と、情報解析部１１により変換される入力情報に対応する韻律パターンを韻律記憶部１３より選択する韻律パターン選択部１４と、入力情報に対して韻律パターン選択部１４により選択された韻律パターンと情報解析部１１により得られる発音記号列化された文字列とから送信データを生成する送信データ生成部１５を具備する。送信データ生成部１５で生成されたデータは送信機２０で変調されて、受信機３０に送信される。なお、韻律記憶部１３に記憶される韻律パターンは入力情報の変化に対応して新たに加えられ、韻律パターンに対するメンテナンスを行うことが可能である。
【００１４】
図２は情報センター側からの送信データの例を示す図である。本図に示す如く、上記送信データ生成部１５では、韻律パターン＋単語１（単語読み＋アクセント）＋単語２（単語読み＋アクセント）＋…単語ｎ（単語読み＋アクセント）のようなデータを生成する。
一方、車載端末側では、車両に搭載される受信機３０で送信データが受信され、復調され一時的に入力バッファ３０Ａに蓄えられる。韻律制御部５０は受信情報信号から韻律パターンデータと文字列データとに分離するデータ分離部５１と、分離された各単位の文字列データを文章としての連続した文字列に合成する合成文字列生成部５２と、同じく分離された各韻律パターンデータを再生する韻律再生部５３と、韻律再生部５３で再生された韻律パターンデータに合成文字列生成部５２で合成された合成文字列をはめ込むはめ込み部５４とを具備する。
【００１５】
音素片辞書部６０は男女の自然音声から得られた一定のピッチ周波数を有する複数の音声波形素片を波形辞書に登録する。音声生成処理部７は図１の構成と同様である。
このように、情報センター側から、単語読み及びアクセント付きの文字列データと共に韻律パターンを併せて送信させ、車載側端末側ではこの韻律パターンを用いて音声を合成するようにしたので、情報センター側で任意に文章を追加、変更しても、従来の如く、車載側端末側では何ら韻律パターンの追加、変更のための処理が不要となり、簡単に文章の追加、改良が可能になる。
【００１６】
図３は情報センター側からの送信データの別の例を説明する図である。本図に示す如く、はめ込み合成データ生成部１０では１つの文を複数の単語からなる呼気段落単位に分け、それぞれの呼気段落単位毎に韻律パターンを設け、呼気段落毎に送信させる。韻律制御部５０は呼気段落毎に韻律制御を行って音声合成を行わせる。このようにすることにより、音声合成以外の通信データの合間に効率良く音声合成のためのデータ送信が行えるようになる。
【００１７】
また、図１の送受信機３０の入力バッファ３０Ａを呼気段落毎に送信されるデータを一時蓄えておくだけの容量にしてもよい。韻律制御部５０では呼気段落毎に韻律制御が行われる。このため、入力バッファの容量を最小にすることが可能になる。なお、呼気段落毎の全データの送信が終了した時点で音声合成の処理を開始することにより、合成音を途切らすことなく生成できる。
【００１８】
情報センター側からの送信データには、「制御コマンド＋韻律パターン＋単語１（単語読み＋アクセント）＋単語２（単語読み＋アクセント）＋…＋単語ｎ（単語読み＋アクセント）」の如く、制御コマンドを設けてもよい。車載端末側ではこの制御コマンドにしたがって韻律制御、音声合成が行われる。この制御コマンドにより、１つの文章単位で送信するオプション（図２参照）と、呼気段落単位で送信するオプション（図３参照）とを任意に選択できるようになる。なお、呼気段落単位で送信するオプションでは、１文章の最初の呼気段落単位の音声データのみに制御コマンドを付記するようにしてもよい。
【００１９】
さらに、前記制御コマンドに男性音や女性音といった音声種別コードを含め、これに対応した韻律パラメータと共に送信するようにしてもよい。韻律制御部５０では、この韻律パラメータに従って韻律制御が行われ、音素片辞書部６０では、男女の音声種類に合った音素片辞書を選択、活用することにより、情報センター側の意図する音声種類で音声合成が可能になる。
【００２０】
また、車載側端末から情報センター側に男性音、女性音の音声種類を要求できるようにしてもよい。これにより情報センター側では要求のあった音声種類のコードとこれに対応する韻律パラメータと共にデータの送信が行われる。車載端末側では上記と同様の処理により要求通りの音声種類で音声合成が可能になる。
なお、以上の例については、天気予報のみならず、交通情報、駐車場等の施設情報の音声合成についても同様に適用可能である。
【００２１】
【発明の効果】
以上の説明により、本発明によれば、はめ込み対象の文章追加、改良を車載端末側の音声合成装置で行うことが不要となり、情報センター側で一括して行えるため、簡単に文章追加、改良が可能になる。
【図面の簡単な説明】
【図１】本発明に係る車載用音声合成装置の例を説明する図である。
【図２】情報センター側からの送信データの例を説明する図である。
【図３】情報センター側からの送信データの別の例を説明する図である。
【図４】従来の車載用音声合成装置を示す図である。
【図５】図４の韻律パターン記憶部４に記憶される韻律パターン例を示す図である。
【符号の説明】
７…音声生成処理部
１０…はめ込み合成データ生成部
２０、３０…送受信機
３０Ａ…入力バッファ
５０…韻律制御部
６０…音素片辞書部
【図１】
0003805065.tif 000002
【図２】
0003805065.tif 000003
【図３】
0003805065.tif 000004
【図４】
0003805065.tif 000005
【図５】
0003805065.tif 000006